(57)【要約】【課題】圧縮機室部前板の取り付けが容易な空気調和機の室外ユニットを提供する。【解決手段】圧縮機を内蔵した圧縮機室を有する外箱１ａは、天面に配された天板３と、上方へ折り曲げたフランジ２ａを有するユニットベース２と、吹き出し口４を設けた吹き出し口部前板５と、圧縮機室６の前部を覆う圧縮機室部前板８と、側面部を覆う右側板９から構成され、圧縮機室部前板８の下部に、圧縮機室部前板８を最終取り付け位置にスライドさせた時にユニットベース２のフランジ２ａ上端部に係止して保持されるように内側に向かって凸部１１を設けているので、圧縮機室部前板８を取り付ける際、凸部１１がユニットベース２のフランジ２ａ上端部に係止して保持されるため、圧縮機室部前板８は下方へずれることがなく一人で確実に、しかも容易に取り付け作業ができる。【選択図】図１
2007212104.tif 000002
【特許請求の範囲】
【請求項１】
圧縮機を内蔵した圧縮機室と送風機とを有する外箱を備え、前記外箱は、天面に配された天板と、底面に配され周囲を上方に向かって折り曲げたフランジを有するユニットベースと、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設けるとともに前記吹き出し口部前板および前記側板の端部に前記係止爪に係合する係合穴をそれぞれ複数設け、前記圧縮機室部前板を前記吹き出し口部前板と前記側板との最終取り付け位置にスライドさせた時に前記ユニットベースのフランジ上端部に係止するよう内側に向かって突出する凸部を圧縮機室部前板の下部に形成したことを特徴とする空気調和機の室外ユニット。
【請求項２】
凸部を圧縮機室部前板全幅に渡ってビード状に形成したことを特徴とする請求項１記載の空気調和機の室外ユニット。
【請求項３】
凸部の断面形状を上端から下端に向かって徐々に隆起させたことを特徴とする請求項１又は２に記載の空気調和機の室外ユニット。
【発明の詳細な説明】
【技術分野】
【０００１】
本発明は空気調和機の室外ユニットに関するもので、特に室外ユニットの外郭を形成する外箱構成に関するものである。
【背景技術】
【０００２】
大能力タイプのルームエアコンの室外ユニットやパッケージエアコンの室外ユニットでは、室外ユニットの横連続設置に対応できるように、送風機の吹き出し口面側から作業ができるように、圧縮機室と圧縮機室の上部に設けられ制御基板を収納する電装部品室とを覆う圧縮機室部前板が設けられている。配管接続部も圧縮機室に収納されているので、設置時の配管接続作業、冷媒追加充填作業また設置状態に応じて室外ユニット制御基板に設けられた種々の設定スイッチの操作を行うには、圧縮機室部前板を外して作業を行うようになっており、そのため圧縮機室部前板は、数本のネジを緩めることで簡単に取り外せる構成となっている（例えば、特許文献１参照）。また、係合が容易な構成として、引掛け爪と引掛け穴の構成がある（例えば、特許文献２参照）。
【０００３】
以下に従来の空気調和機の室外ユニットの外箱の構成を、図４、図５を用いて説明する。図４において、室外ユニット９０の外箱９０ａは、周囲を上方に向かって折り曲げたユニットベース１００、天面部を覆う天板１０１、前面部を覆い送風機（図示せず）の吹き出し口１０２ａを設けた吹き出し口部前板１０２、圧縮機１０６を内蔵する圧縮機室１０６ａと制御基板（図示せず）を収納する電装部品室１０４とを覆う断面略Ｌ字状の圧縮機室部前板１０３、右側面を覆う側板１０５ａ、１０５ｂから構成されている。圧縮機室部前板１０３は、前面側１０３ａと右側面側１０３ｂとで形成され、さらに圧縮機室部前板１０３の上端及び下端はそれぞれネジ１０３ｄで天板１０１とユニットベース１００に締結されている。
【０００４】
図５は、図４における圧縮機室部前板１０３の右側面側１０３ｂのＤ部と側板１０５ｂのＥ部を拡大した詳細図であり、（ａ）は要部水平断面図、（ｂ）は要部正面図である。図５に示すように、圧縮機室部前板１０３の右側面側１０３ｂ及び左側端部１０３ｃの各鉛直部には略Ｌ字状の係止爪１１０が、またこの係止爪１１０に対応して、吹き出し口部前板１０２および側板１０５ｂの鉛直端部に角形状の係合穴１１１がそれぞれ複数個設けられている。室外ユニット９０を横方向に連続設置する場合に、圧縮機室部前板１０３が室外ユニット９０の手前方向に外せるようするために係止爪１１０は両端側ともに室外ユニット９０の奥行き方向に突出して形成されており、対応する係合穴１１１は係止爪１１０に直交するように開口している。
【０００５】
以上の構成により、圧縮機室部前板１０３は、圧縮機室部前板１０３の右側面側１０３ｂ、左側端部１０３ｃに設けられた複数個の係止爪１１０が係合穴１１１に水平方向に挿入された後、上方にスライドされ、さらに上端、下端をそれぞれ１本のネジ１０３ｄで締結することによって吹き出し口部前板１０２、側板１０５ａ、１０５ｂに固着できるため、多くのネジを使用する必要がなく、組立時の作業工数を低減できると共にネジ本数が少ないので見栄えもよい。
【０００６】
図６は、他の従来の空気調和機の室外ユニットを示すもので、図４に示された室外ユニットとほぼ同様な外箱構成となっているが、圧縮機室部前板の部分と右側の側板部分とが一体に形成され、しかも右側の側板は１枚で形成され合わせ目が省略されているところが異なる（例えば、特許文献３参照）。
【特許文献１】特開平６−１２３４４６号公報
【特許文献２】実開平５−６９５３５号公報
【特許文献３】特開平９−１９３９８９号公報
【発明の開示】
【発明が解決しようとする課題】
【０００７】
しかしながら上記従来の空気調和機の室外ユニットの外箱構成では、製造現場における圧縮機室部前板１０３の組立作業時や、設置時に圧縮機室部前板１０３を開けての作業、例えば室外ユニット９０と室内ユニット（図示せず）をつなぐ際の冷媒配管接続、冷媒の追加充填や電線接続などの圧縮機室部前板１０３を取り外したり、再度室外ユニット９０に取り付けたりする際に以下のような課題があった。
【０００８】
圧縮機室部前板１０３を室外ユニット９０に取り付ける際は、側板１０５ａ、１０５ｂ及び吹き出し口部前板１０２に設けた複数の係合穴１１１に圧縮機室部前板１０３の右側面側１０３ｂ及び左側端部１０３ｃに設けた複数の係止爪１１０を挿入した後、圧縮機室部前板１０３を上方にスライドさせ上端、下端をネジ１０３ｄで締結するが、圧縮機室部前板１０３は金属製でしかも大きな表面積を持ち、そのため重量も重くなることから自重により下方へ下がろうとする力が働くため、ネジ穴がずれてしまう。そのため、作業者はネジ穴がずれないように圧縮機室部前板１０３を押えていなければならず、取り付け、取り外し作業が非常に困難であった。
【０００９】
このため、製造現場や大規模設置工事など多人数で作業をしている場合には、一人が圧縮機室部前板１０３を押え、もう一人がネジを締結しなければならなかった。又、一人で設置作業する場合、あるいは、一人で作業を行うことが多いサービス時などでは、圧縮機室部前板１０３の再取り付けが極めて困難で、また多くの時間を費やし、さらに注意不足の場合には、係止爪１１０と係合穴１１１が外れてしまい、圧縮機室部前板１０３が室外ユニット９０より落下しキズ付きや変形の原因となっていた。
【００１０】
本発明は、上記従来の課題を解決するもので、安価な構成で、見栄えを悪くすることもなく、一人で確実に、しかも簡単に圧縮機室部前板の取り付けができる空気調和機の室外ユニットを提供することを目的とするものである。
【課題を解決するための手段】
【００１１】
上記従来の課題を解決するために、本発明の空気調和機の室外ユニットは、圧縮機を内蔵した圧縮機室と送風機とを有する外箱を備え、前記外箱は、天面に配された天板と、底面に配され周囲を上方に向かって折り曲げたフランジを有するユニットベースと、送風機の風を吹き出す吹き出し口を設けた吹き出し口部前板と、圧縮機室の前部を覆う圧縮機室部前板と、側面部を覆う側板とから構成され、圧縮機室部前板の両側端部に略Ｌ字状の係止爪を複数設けるとともに吹き出し口部前板および側板の端部に係止爪に係合する係合穴をそれぞれ複数設け、圧縮機室部前板の下部に内側に向かって突出する凸部を形成し、圧縮機室部前板を吹き出し口部前板と側板との最終取り付け位置にスライドさせた時にユニットベースのフランジ上端部に係止するようにしたもので、圧縮機室部前板を吹き出し口部前板及び側板に取り付ける際、圧縮機室部前板の両側端部に設けた係止爪を吹き出し口部前板及び側板の端部に設けた係合穴に挿入し、圧縮機室部前板を上方の最終取り付け位置までスライドさせると圧縮機室部前板の下部に設けた凸部がユニットベースのフランジ上端部に係止して保持されるため、圧縮機室部前板は下方へずれることがなく、一人で確実に、しかも容易に前記圧縮機室部前板を取り付けることができる。
【発明の効果】
【００１２】
本発明の空気調和機の室外ユニットは、安価な構成で、見栄えを悪くすることもなく、一人で確実に、しかも簡単に圧縮機室部前板の取り付けができるので、作業効率が非常に
良いものである。
【発明を実施するための最良の形態】
【００１３】
第１の発明は、圧縮機を内蔵した圧縮機室と送風機とを有する外箱を備え、前記外箱は、天面に配された天板と、底面に配され周囲を上方に向かって折り曲げたフランジを有するユニットベースと、前記送風機の風を吹き出す吹き出し口を設けた吹き出し口部前板と、前記圧縮機室の前部を覆う圧縮機室部前板と、側面部を覆う側板とから構成され、前記圧縮機室部前板の両側端部に略Ｌ字状の係止爪を複数設けるとともに前記吹き出し口部前板および前記側板の端部に前記係止爪に係合する係合穴をそれぞれ複数設け、前記圧縮機室部前板の下部に内側に向かって突出する凸部を形成し、圧縮機室部前板を前記吹き出し口部前板と前記側板との最終取り付け位置にスライドさせた時に前記ユニットベースのフランジ上端部に係止するようにしたもので、圧縮機室部前板を吹き出し口部前板及び側板に取り付ける際、圧縮機室部前板の両側端部に設けた係止爪を吹き出し口部前板及び側板の端部に設けた係合穴に挿入し、圧縮機室部前板を上方の最終取り付け位置までスライドさせると圧縮機室部前板の下部に設けた凸部がユニットベースのフランジ上端部に係止して保持されるため、圧縮機室部前板は下方へずれることがなく、一人で確実に、しかも容易に前記圧縮機室部前板を取り付けることができる。
【００１４】
第２の発明は、特に第１の発明の圧縮機室部前板の下部に形成した凸部を圧縮機室部前板全幅に渡ってビード状に形成したもので、圧縮機室部前板の下部の強度が格段に向上するとともに、圧縮機室部前板はビードの全幅に渡って係止されるため、外力が加わったり多少の変形があったりした場合でも下方へずれ落ちることがなく、一人で確実に、しかも容易に圧縮機室部前板を取り付けることができる。
【００１５】
第３の発明は、特に第１又は第２の発明において、凸部の断面形状を上端から下端に向かって徐々に隆起させたもので、圧縮機室部前板を上方へスライドさせる際、凸部の上端は緩やかな隆起であるためユニットベースの下端をスムーズに乗り越えるとともに、下端は大きく隆起しているため確実に係止して保持することができる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の室外ユニットの外箱構成を示す分解斜視図で、図２は、同室外ユニットの圧縮機室部前板の取り付け部の要部断面図である。図１、図２において、室外ユニット１の外箱１ａは、底部を形成するユニットベース２、天面部を覆う天板３、前面部を覆うとともに内蔵された送風機（図示せず）による風を吹き出す吹き出し口４を有する吹き出し口部前板５、圧縮機（図示せず）を内蔵する圧縮機室６や制御基板（図示せず）を収納する電装部品室７を覆う圧縮機室部前板８、右側面を覆う側板となる右側板９とから構成されている。
【００１８】
ユニットベース２は、周囲を上方に向かって折り曲げたフランジ２ａが設けられている。圧縮機室部前板８は、前面に位置する前面部８ａと右側部８ｂとで断面略Ｌ字状に形成され、前面部８ａには、ほぼ全幅に渡ってデザイン性を向上させるための内側に突出するビード１０が複数形成され、そのビード１０の最下部は、圧縮機室部前板８を最終取り付け位置にスライドさせた時にユニットベース２のフランジ２ａ上端部に係止するように内側に向かって突出する凸部１１として形成している。また、圧縮機室部前板８の左端部８ｃと右側部８ｂの端部のそれぞれに、後方に突出した略Ｌ字状の係止爪１２が複数個設けられ、吹き出し口部前板５および右側板９のそれぞれの鉛直端部の係止爪１２に対応する位置に角形状の係合穴１３が設けられている。
【００１９】
圧縮機室部前板８の室外ユニット１への取り付けは、圧縮機室部前板８の係止爪１２を吹き出し口部前板５と右側板９の係合穴１３に挿入する。その後圧縮機室部前板８を上方にスライドさせることにより、凸部１１がユニットベース２のフランジ２ａを乗り越えた後、フランジ２ａの上端に係止する。これにより、圧縮機室部前板８が保持されるので下方にずれないように押えておく必要がなく、ネジ１４で圧縮機室部前板８の上端、下端を天板３ユニットベース２にそれぞれネジ止めすることで圧縮機室部前板８の取り付けは完了する。
【００２０】
以上のように、本実施の形態によれば、一人でも簡単に、しかも確実に圧縮機室部前板８を取り付けることができるものである。
【００２１】
なお、本実施の形態は、圧縮機室部前板８の下部に形成した凸部１１を圧縮機室部前板８全幅に渡ってビード状に形成しているので、圧縮機室部前板８の下部の強度が格段に向上するとともに、圧縮機室部前板８はビードの全幅に渡って係止されるため、外力が加わったり多少の変形があったりした場合でも下方へずれ落ちることがないものであるが、特に凸部１１の形状や長さは限定するものではなく、フランジ２ａの上端部に確実に係止できる形態であればよい。
【００２２】
（実施の形態２）
図３は、本発明の第２の実施の形態における空気調和機の室外ユニットの要部断面図である。なお、上記実施の形態と同一部分については同一符号を付してその説明を省略する。
【００２３】
本実施の形態は、凸部１１の断面形状を上端から下端に向かって徐々に隆起させているので、圧縮機室部前板８を上方へスライドさせる際、凸部１１の上端は緩やかな隆起であるためユニットベースの下端をスムーズに乗り越えるとともに、下端は大きく隆起しているため確実にユニットベース２のフランジ２ａ上端に係止して保持することができる。
【産業上の利用可能性】
【００２４】
以上のように、本発明に係る空気調和機の室外ユニットは、安価な構成で、見栄えを悪くすることもなく、一人で確実に、しかも簡単に圧縮機室部前板の取り付けができるので、作業効率が非常に良く、設置時、サービス時に着脱を要する板金製の扉、蓋などを有する各種機器、装置にも適用できるものである。
【図面の簡単な説明】
【００２５】
【図１】本発明の実施の形態１における空気調和機の室外ユニットの展開斜視図
【図２】同室外ユニットの要部断面図
【図３】本発明の実施の形態２における空気調和機の室外ユニットの要部断面図
【図４】従来の空気調和機の室外ユニットの展開斜視図
【図５】（ａ）図４のＤ、Ｅ部の横断面図、（ｂ）同Ｄ、Ｅ部の正面図
【図６】従来の他の例を示す空気調和機の室外ユニットの斜視図
【符号の説明】
【００２６】
１  室外ユニット
１ａ  外箱
２  ユニットベース
２ａ  フランジ
３  天板
４  吹き出し口
５  吹き出し口部前板
６  圧縮機室
８  圧縮機室部前板
９  側板
１１  凸部
１２  係止爪
１３  係合穴
【図１】
2007212104.tif 000003
【図２】
2007212104.tif 000004
【図３】
2007212104.tif 000005
【図４】
2007212104.tif 000006
【図５】
2007212104.tif 000007
【図６】
2007212104.tif 000008